(57)【特許請求の範囲】
【請求項１】
装置本体内を制御する本体コントローラを有し、外部装置とデータ通信を行うためのビデオコントローラ基板を用いる画像形成装置において、
前記本体コントローラは、前記ビデオコントローラ基板に接続され、相互に電圧レベルが異なる複数の電源を、前記ビデオコントローラ基板に供給するための複数の電源ラインを備え、
さらに、この本体コントローラには、ビデオコントローラ基板を作動させるための電源の電圧レベルを、ビデオコントローラ基板側で選択して、この選択された電源を前記複数の電源ラインのいずれかを介して、この本体コントローラよりビデオコントローラ基板に供給できる変換手段を備え、前記変換手段にビデオコントローラ基板から前記選択された電源を供給することを特徴とする画像形成装置。
【請求項２】
装置本体内を制御する本体コントローラを有し、この本体コントローラには、電源の電圧レベルに応じて、ビデオコントローラ基板を働かせる電源の電圧レベルを選択する変換手段が備わっており、外部装置とデータ通信を行うための画像形成装置のビデオコントローラ基板であって、
前記本体コントローラから複数の電源ラインを介して相互に電源レベルが異なる複数の電源の供給を受けることができ、
かつ、前記変換手段に対して、前記複数の電源のうちビデオコントローラ基板を働かせる電源を、選択させることができ、さらに前記変換手段に前記選択された電源を供給することを特徴とするビデオコントローラ基板。
【発明の詳細な説明】
【０００１】
【発明の属する技術分野】
本発明は、レーザプリンタ等の画像形成装置、特に異なる信号の電圧レベルを変換する電圧レベル変換機能を有した画像形成装置及びビデオコントローラ基板に関するものである。
【０００２】
【従来の技術】
従来、この種の画像記録装置においては、例えば外部のホストコンピュータとの間でデータ通信を行うためにビデオコントローラ（ＶＩＤＥＯ  ＣＯＮＴＲＯＬＬＥＲ）を構成したビデオコントローラ基板を用いている。このビデオコントローラの信号の電圧レベルと画像記録装置のコントローラの信号の電圧レベルが異なっている場合があるが、この場合には、画像記録装置のコントローラ基板上に電圧レベル変換用ＩＣを設けて、この電圧レベル変換用ＩＣを介して通信を行っている。
【０００３】
【発明が解決しようとする課題】
しかしながら、上記のような従来の画像形成装置にあっては、本装置の制御用コントローラの電圧レベルとビデオコントローラの信号の電圧レベルが同じ場合には制御用コントローラ基板に変換用ＩＣは必要なく、電圧レベルが異なる場合は制御用コントローラ基板に変換用ＩＣが必要となり、このため、ビデオコントローラの信号の電圧レベルによって基板を変えなくてはならないという問題点があった。
【０００４】
また、電源電圧の異なるオプションを接続した場合には、互いの電源電圧が同じか異なるかがわからないために、通信を行うことは難しかった。
【０００５】
本発明は上記のような問題点に着目してなされたもので、外部装置との間の通信用のコントローラの信号の電圧レベルが本体制御用のコントローラの信号の電圧レベルと異なっていても基板を変更する必要のない画像形成装置及びビデオコントローラ基板を提供することを目的としている。
【０００６】
また、電源電圧の異なるオプションを接続した場合でも、オプション間の通信を容易に行うことが可能な画像形成装置及びビデオコントローラ基板を提供することを目的としている。
【０００７】
【課題を解決するための手段】
本発明に係る画像形成装置は、装置本体内を制御する本体コントローラを有し、外部装置とデータ通信を行うためのビデオコントローラ基板を用いる画像形成装置において、
前記本体コントローラは、前記ビデオコントローラ基板に接続され、相互に電圧レベルが異なる複数の電源を、前記ビデオコントローラ基板に供給するための複数の電源ラインを備え、
さらに、この本体コントローラには、ビデオコントローラ基板を作動させるための電源の電圧レベルを、ビデオコントローラ基板側で選択して、この選択された電源を前記複数の電源ラインのいずれかを介して、この本体コントローラよりビデオコントローラ基板に供給できる変換手段を備え、前記変換手段にビデオコントローラ基板から前記選択された電源を供給するようにしたものである。
【０００８】
本発明に係るビデオコントローラ基板は、装置本体内を制御する本体コントローラを有し、この本体コントローラには、電源の電圧レベルに応じて、ビデオコントローラ基板を働かせる電源の電圧レベルを選択する変換手段が備わっており、外部装置とデータ通信を行うための画像形成装置のビデオコントローラ基板であって、
前記本体コントローラから複数の電源ラインを介して相互に電源レベルが異なる複数の電源の供給を受けることができ、
かつ、前記変換手段に対して、前記複数の電源のうちビデオコントローラ基板を働かせる電源を、選択させることができ、さらに前記変換手段に前記選択された電源を供給するようにしたものである。
【０００９】
【発明の実施の形態】
図１は本発明の第１の実施例による画像形成装置の構成を示す断面図であり、ここでは外部コンピュータと接続されたレーザプリンタの場合を示している。
【００１０】
図１において、１，２は上段カセット，下段カセットで、それぞれ記録媒体である記録紙ＳＨを収容している。３．４は各々のカセット１，２から記録紙ＳＨをレジストローラ５の位置まで給送する給紙ローラで、レジストローラ５は給紙ローラ３，４あるいは後述する再給紙ローラ１９により給送された記録紙ＳＨを後段の画像記録部に所定のタイミングで搬送する。
【００１１】
６は感光ドラム１１を露光前に一様に帯電させる一次帯電器、７は現像器で、例えば１成分トナーにより感光ドラム１１に形成された静電潜像をジャンピング現像する。
【００１２】
８は上記現像されたトナー像を記録紙ＳＨに転写させる転写帯電器、９は感光ドラム１１に残留したトナーを回収するクリーナ装置、１０は感光ドラム１１を露光して残留電荷を中和する除電ランプである。
【００１３】
１２はレーザユニットで、スキャナーモータ１３ａにより一定速度で回転するポリゴンミラー１３にレーザ光を照射し、折り返しミラー１３ｂを介して感光ドラム１１に画像情報に応じた像を結像させて上述の静電潜像を形成する。１４は定着器で、上述の転写プロセスの終了した記録紙ＳＨに熱と圧力を加えて記録紙ＳＨにトナー画像を定着させる。
【００１４】
１５は上記定着プロセスの終了した記録紙ＳＨの搬送方向を切換制御するフラッパ、１６は出口ローラ、１７は反転ローラで、記録モードが片面の場合には順方向に回転して定着プロセスの終了した記録紙ＳＨを排紙させる方向に回転し、また記録モードが両面の場合には順方向に回転して定着プロセスの終了した記録紙ＳＨの後端が反転センサ２１を通過した後は直ちに逆方向に回転して再度記録紙ＳＨを本体内に引き込む。
【００１５】
１８は上記反転ローラ１７で反転された記録紙ＳＨを上述の再給紙ローラ１９の位置まで中継搬送する中継ローラ、２０，２２は記録紙ＳＨの通過状態を検知するための紙パスセンサ、２３は積載トレイで、出口ローラ１６の駆動により印字完了した記録紙ＳＨを積載排紙する。
【００１６】
なお、上段カセット１，下段カセット２，給紙ローラ３４等により第１の給送手段が構成され、再給紙ローラ１９，中継ローラ１８，反転ローラ１７等により第２の給送手段が構成されている。
【００１７】
また、２４は装置本体内を制御する本体コントローラが構成されたＤＣコントローラ基板（制御基板）、２５は外部装置であるホストコンピュータ、２６はホストコンピュータ２５とビデオデータ通信を行うためのデータコントローラが構成されたビデオコントローラ基板で、このビデオコントローラ基板２６を介してホストコンピュータ２５とＤＣコントローラ基板との間で通信が行われる。
【００１８】
３０は上流オプション３１及び下流オプション３２を接続するためのオプションコントローラが構成されたオプションコントローラ基板で、ここでは上流オプション３１及び下流オプション３２が給排紙ユニットの場合について説明する。
【００１９】
上記のビデオコントローラ基板２６及びＤＣコントローラ基板２４の信号の電圧レベルは、通常３Ｖ系と５Ｖ系とに別れており、電圧レベルはそれぞれのビデオコントローラ基板２６，ＤＣコントローラ基板２４の仕様によって別れる。
【００２０】
また、ＤＣコントローラ基板２４には、ビデオコントローラ基板２６との間で信号の電圧レベルを合わせるために図２に示す電圧変換用ＩＣ２９が設けられている。この電圧変換用ＩＣ２９は、二つの電源で入出力電圧レベル変換を行うことができるようになっている。電源の一方はＤＣコントローラ基板２４の信号電圧ラインに接続され、もう一方はビデオコントローラ板２６上で通信ラインの信号電圧レベルの電源に接続されており、電圧の検出及び変換が行われるようになっている。
【００２１】
また、画像形成装置によっては本実施例のようにオプションコントローラ基板３０を介して上流オプション３１及び下流オプション３２がシリアルに接続されており、ホストコンピュータ２５の指定によってそれぞれオプション３１，３２に給紙，排紙が行われる。これらのオプション３１，３２には、図３に示すようにそれぞれ電源６５，６６が設けられている。
【００２２】
図２はＤＣコントローラ基板２４及びビデオコントローラ基板２６の詳細を示す図である。上記のように、電圧変換用ＩＣ２９がＤＣコントローラ基板２４に実装されており、またインターフェースコネクタ３５を介してＤＣコントローラ基板２４とビデオコントローラ基板２６が接続されている。
【００２３】
ＤＣコントローラ基板２４は、上述のように３Ｖ系と５Ｖ系の両方の電源を持っており、電圧変換用ＩＣ２９の電源Ｖｃｃ１はＤＣコントローラ基板２４内での信号電源ラインに接続されており、もう一方の電源Ｖｃｃ２はインターフェースコネクタ３５を介してビデオコントローラ基板２６に接続され、ビデオコントローラ基板２６側で５Ｖ系の電圧ラインか３Ｖ系の電圧ラインかが選択され、ビデオコントローラ基板２６の信号電圧ラインに接続される。
【００２４】
このように、ビデオコントローラ基板２６側で電圧変換用ＩＣ２９の電源を選択して信号の電圧レベルを一致させることにより、基板やパターンを変更することなしに電圧変換を行うことができる。
【００２５】
次に、第２の実施例について説明する。本実施例の構成は上述の第１の実施例とほぼ同様であるが、異なる部分は給紙オプション等、オプションが何個も接続された場合において通信ラインの信号電圧レベルを一定にするものである。
【００２６】
図３は本実施例を示す図であり、図２に示すものと共通の箇所には同一符号を付して説明を省略する。
【００２７】
図３において、上流オプションコントローラ基板６１上に電圧変換用ＩＣ２９が設けられており、この電圧変換用ＩＣ２９の電源Ｖｃｃ１は該上流オプションコントローラ基板６１内で使用されている電源ラインに接続されており、もう一方の電源Ｖｃｃ２はインターフェースコネクタ５０及びケーブル５１を介して下流オプションコントローラ基板６２の電源ラインに接続されている。
【００２８】
このような構成として、電圧変換用ＩＣ２９の電源をそれぞれ選択して信号の電圧レベルを合わせることにより、基板やパターンを変更することなしにオプション間での電圧変換を行うことができる。
【００２９】
【発明の効果】
以上説明したように、本発明によれば、本体の制御基板上に信号電圧レベルの変換手段を設け、外部装置との間のデータコントローラとの通信の信号電圧レベルを検出して合わせるようにしたので、電圧レベルによって基板を変えることなく通信を行うことができるという効果がある。
【００３０】
また、オプション基板においても信号電圧レベルの変換手段を設けて、オプション同志での通信の信号電圧レベルを一致させることにより、オプション間の通信も容易に行うことができる。
【図面の簡単な説明】
【図１】本発明の第１の実施例の構成を示す断面図
【図２】図１のＤＣコントローラ基板とビデオコントローラ基板の詳細を示す説明図
【図３】第２の実施例の構成を示す説明図
【符号の説明】
２４  ＤＣコントローラ基板（制御基板）
２５  ホストコンピュータ（外部装置）
２６  ビデオコントローラ基板
２９  電圧変換用ＩＣ（変換手段）
３１  上流オプション
３２  下流オプション
６１  上流オプション基板
６２  下流オプション基板
６５  電源
６６  電源
【図１】
0003624066.tif 000002
【図２】
0003624066.tif 000003
【図３】
0003624066.tif 000004